(57)【要約】【課題】複数枚のカレンダー紙を備え紙綴じ枠面上に穿孔された吊り下げ用孔を有するカレンダーにおいて使用済みのカレンダー紙を保存する必要がある場合、折り返して保存しながら吊り下げると共に折り返した使用済みカレンダー紙を見たい場合、元通りに戻すことができるカレンダーを提供するものである。【解決手段】カレンダーは紙綴じ枠２と紙綴じ枠に綴じられた複数枚のカレンダー紙５を備え紙綴じ枠面上に穿孔された吊り下げ用孔３を有するカレンダーにおいて紙綴じ枠面上に穿孔された吊り下げ用孔に輪状に結合した紐を係止し前記紙綴じ枠面上に穿孔された吊り下げ用孔の鉛直線上のカレンダー紙上部に穿孔又は穿開可能部位を設け使用済みのカレンダー紙を前記穿孔又は穿開可能部位を通して紙綴じ枠面上に穿孔された吊り下げ用孔に係止されてある輪状に結合した紐１をくぐり抜けて折り返し吊り下げ使用できるようにしたものである。【選択図】　　図１
0003097956.tif 000002
【実用新案登録請求の範囲】
【請求項１】
紙綴じ枠と紙綴じ枠に綴じられた複数枚のカレンダー紙を備え紙綴じ枠面上に穿孔された吊り下げ用孔を有するカレンダーにおいて、吊り下げ用孔より大きな結び目にて輪状に結んだ紐を係入させて、結び目が孔から抜けない構成にして固定する。そして、カレンダー紙上部には前記孔の鉛直線上に穿孔又は穿開可能部位を設けることにより使用済みのカレンダー紙をめくった際には、カレンダー紙上部の穿孔又は穿開可能部位を通して紙綴じ枠面上の吊り下げ用孔に係入した紐をくぐり抜けさせ折り返し、使用済みカレンダー紙を綴じたまま保存使用できるようにしたことを特徴とするカレンダー。
【考案の詳細な説明】
【０００１】
【考案の属する技術分野】本考案は、紙綴じ枠と紙綴じ枠に綴じられた複数枚のカレンダー紙を備え紙綴じ枠面上に穿孔された吊り下げ用孔を有するカレンダーに関する。
【０００２】
【従来の技術】従来の上記カレンダーは月替り及び日替り後、使用済みのカレンダー紙をその紙綴じ枠に沿って切破り捨て次の紙面を表面に出すという手法で用途されていた。しかしながら使用済みのカレンダー紙を記録のため綴じたまま保存したい場合に紙綴じ枠を中心にして折り返すと紙綴じ枠面上に穿孔された吊り下げ用孔が塞がれてしまい体裁よく折り返すことが難易であった。
【０００３】
【考案が解決しようとする課題】本考案は複数枚のカレンダー紙を備え紙綴じ枠面上に穿孔された吊り下げ用孔を有するカレンダーにおいて使用済みのカレンダー紙を保存する必要がある場合、容易に体裁よく折り返して保存しながら吊り下げることができるようにすると共に折り返した使用済みカレンダー紙を見たい場合そのまま元通りに戻すことができるようにしたカレンダーを提供するものである。又、本考案はカレンダー紙上部に穿孔又は穿開可能部位を設けることと紙綴じ枠面上に穿孔された吊り下げ用孔に輪状に結合した紐を係止する以外は、従来のカレンダー製作の手順を変える必要がなく、外見上従来と変わらないカレンダーを提供するものである。
【０００４】
【課題を解決するための手段】本考案カレンダーは、上記課題を達成するため、紙綴じ枠と紙綴じ枠に綴じられた複数枚のカレンダー紙を備え紙綴じ枠面上に穿孔された吊り下げ用孔を有するカレンダーにおいて、紙綴じ枠面上に穿孔された吊り下げ用孔に輪状に結合した紐を係止し、前記紙綴じ枠面上に穿孔された吊り下げ用孔の鉛直線上のカレンダー紙上部に穿孔又は穿開可能部位を設け使用済みのカレンダー紙を前記穿孔又は穿開可能部位を通して紙綴じ枠面上に穿孔された吊り下げ用孔に係止されてある輪状に結合した紐をくぐり抜けて折り返し吊り下げ使用できるようにしたものである。本考案において穿開可能部位線は、印刷線、ミシン目線も含まれる。
【０００５】
【考案の実施の形態】
（実施例１）本考案実施の形態１が図１及び図２、図５に示されている。本例のカレンダーは紙綴じ枠と、各月毎の１２枚のカレンダー紙を備え紙綴じ枠面上に穿孔された吊り下げ用孔（３）を有するカレンダーとなっている。前記カレンダー紙綴じ枠面上（２）に穿孔された吊り下げ用孔（３）に輪状に結合した紐（１）を係止（６）、紙綴じ枠面上（２）に穿孔された吊り下げ用孔（３）の鉛直線上のカレンダー紙上部に穿孔部位（４）を設けている。使用済みカレンダー紙（５）を紙綴じ枠中心に折り返したとき係止紐（１）をカレンダー紙上部穿孔部位（４）に通し吊り下げると、図２に示すように、使用済みカレンダー紙（５）はカレンダー紙上部穿孔部位（４）により係止紐（１）をくぐり抜けて折り返すことができ、必要なときは、そのまま元通りに戻すことができる。
（実施例２）本考案実施の形態２が図３及び図４、図５に示されている。本例のカレンダーは紙綴じ枠と、各月毎の１２枚のカレンダー紙を備え紙綴じ枠面上に穿孔された吊り下げ用孔（３Ａ）を有するカレンダーとなっている。前記カレンダー紙綴じ枠面上（２Ａ）に穿孔された吊り下げ用孔（３Ａ）に輪状に結合した紐（１Ａ）を係止（６）、紙綴じ枠面上（２Ａ）に穿孔された吊り下げ用孔（３Ａ）の鉛直線上のカレンダー紙上部に穿開可能部位（４Ａ）を設けている。使用済みカレンダー紙（５Ａ）を紙綴じ枠中心に折り返したとき係止紐（１Ａ）をカレンダー紙上部穿開可能部位（４Ａ）に通し吊り下げると、図２に示すように、使用済みカレンダー紙（５Ａ）はカレンダー紙上部穿開可能部位（４Ａ）により係止紐（１Ａ）をくぐり抜けて折り返すことができ、必要なときは、そのまま元通りに戻すことができる。
【０００７】
【考案の効果】本考案によれば、使用済みのカレンダー紙は容易に折り返し保存ができ、必要なときはいつでも元に戻して見ることができる。従来のカレンダーのカレンダー紙上部に穿孔又は穿開可能部位を設けることと紙綴じ枠面上に穿孔された吊り下げ用孔に輪状に結合した紐を係止する以外は、従来のカレンダー製作の手順を変える必要がなく、体裁もよく、製作も極めて簡単な利点がある。
【図面の簡単な説明】
【図１】本考案の実施形態を示す斜面図
【図２】図１の使用状態を示す斜面図
【図３】本考案の別の実施形態を示す斜面図
【図４】図３の使用状態を示す斜面図
【図５】図１、図３の使用状態を示す断面図
【符号の説明】
（１）、（１Ａ）係止紐
（２）、（２Ａ）紙綴じ枠面
（３）、（３Ａ）紙綴じ枠面上に穿孔された吊り下げ用孔
（４）カレンダー紙上部穿孔部位
（４Ａ）カレンダー紙上部穿開可能部位
（５）、（５Ａ）使用済みカレンダー紙
（６）係止紐係止部分
【図１】
0003097956.tif 000003
【図２】
0003097956.tif 000004
【図３】
0003097956.tif 000005
【図４】
0003097956.tif 000006
【図５】
0003097956.tif 000007
【手続補正書】
【提出日】平成15年3月19日(2003.3.19)
【手続補正１】
【補正対象書類名】明細書
【補正対象項目名】請求項１
【補正方法】変更
【補正の内容】
【請求項１】
0003097956.tif 000008
紙綴じ枠と紙綴じ枠に綴じられた複数枚のカレンダー紙を備え紙綴じ枠面上に穿孔された吊り下げ用孔を有するカレンダーにおいて、吊り下げ用孔より大きな結び目にて輪状に結んだ紐を係入させて、結び目が孔から抜けない構成にして固定し、カレンダー紙上部には前記孔の鉛直線上に穿孔又は穿開可能部位を設けることにより使用済みのカレンダー紙をめくった際には、カレンダー紙上部の穿孔又は穿開可能部位を通して紙綴じ枠面上の吊り下げ用孔に係入した紐をくぐり抜けさせ折り返し、使用済みカレンダー紙を綴じたまま保存使用できるようにしたことを特徴とするカレンダー。
【手続補正書】
【提出日】平成15年5月29日(2003.5.29)
【手続補正３】
【補正対象書類名】明細書
【補正対象項目名】実用新案登録請求の範囲
【補正方法】変更
【補正の内容】
【実用新案登録請求の範囲】
【請求項１】
紙綴じ枠と紙綴じ枠に綴じられた複数枚のカレンダー紙を備え紙綴じ枠面上に穿孔された吊り下げ用孔を有するカレンダーにおいて、吊り下げ用孔より大きな結び目にて輪状に結んだ紐を係入させて、結び目が孔から抜けない構成にして固定し、カレンダー紙上部には前記孔の鉛直線上に穿孔又は穿開可能部位を設けることにより使用済みのカレンダー紙をめくった際には、カレンダー紙上部の穿孔又は穿開可能部位を通して紙綴じ枠面上の吊り下げ用孔に係入した紐をくぐり抜けさせ折り返し、使用済みカレンダー紙を綴じたまま保存使用できるようにしたことを特徴とするカレンダー。